(57)【要約】      （修正有）【課題】透明板に貼り付けられた液晶パネルに対しバックライトを所定の位置に精度良く固定できる、表示装置の提供。【解決手段】透明板２０と、前記透明板の主表面に貼り付けられる液晶パネル３０と、前記液晶パネルを前記透明板とは反対側から照明するバックライト４０と、前記透明板に対し前記バックライトを固定する固定治具５０とを備え、前記固定治具は、前記透明板の前記主表面に対向する第１対向部５１、および前記バックライトの端面に対向する第２対向部５２を有し、前記第１対向部が前記透明板の前記主表面に貼り付けられ、前記第２対向部の長穴を貫通する雄ネジ６１および前記雄ネジに螺合する雌ネジ６５によって前記第２対向部が前記バックライトの前記端面と締結される、表示装置。【選択図】図２
2019020710.tif 000002
【特許請求の範囲】
【請求項１】
透明板と、
前記透明板の主表面に貼り付けられる液晶パネルと、
前記液晶パネルを前記透明板とは反対側から照明するバックライトと、
前記透明板に対し前記バックライトを固定する固定治具とを備え、
前記固定治具は、前記透明板の前記主表面に対向する第１対向部、および前記バックライトの端面に対向する第２対向部を有し、
前記第１対向部が前記透明板の前記主表面に貼り付けられ、前記第２対向部の長穴を貫通する雄ネジおよび前記雄ネジに螺合する雌ネジによって前記第２対向部が前記バックライトの前記端面と締結される、表示装置。
【請求項２】
前記透明板の前記主表面の法線方向を第１方向、前記バックライトの前記端面の法線方向および前記第１方向の両方向に対し垂直な方向を第２方向とすると、
前記長穴は、前記第１方向の寸法が前記第２方向の寸法よりも長い、請求項１に記載の表示装置。
【請求項３】
前記透明板の前記主表面の法線方向を第１方向、前記バックライトの前記端面の法線方向および前記第１方向の両方向に対し垂直な方向を第２方向とすると、
前記長穴は、前記第２方向の寸法が前記第１方向の寸法よりも長い、請求項１に記載の表示装置。
【請求項４】
透明板の主表面に液晶パネルを貼り付ける工程と、
前記透明板の前記主表面の面内方向における、前記透明板の前記主表面に貼り付けられた液晶パネルと、前記液晶パネルを前記透明板とは反対側から照明するバックライトとの位置合わせを行う工程と、
固定治具の第１対向部を前記透明板の前記主表面と対向させると共に前記固定治具の第２対向部を前記バックライトの端面に対向させて、前記第１対向部を前記透明板の前記主表面に貼り付ける工程と、
前記第２対向部の長穴を貫通する雄ネジおよび前記雄ネジに螺合する雌ネジによって前記第２対向部と前記バックライトとを締結する工程とを有する、表示装置の製造方法。
【請求項５】
前記透明板の前記主表面の法線方向を第１方向、前記バックライトの前記端面の法線方向および前記第１方向の両方向に対し垂直な方向を第２方向とすると、前記第１方向の寸法が前記第２方向の寸法よりも長い前記長穴を用いる、請求項４に記載の表示装置の製造方法。
【請求項６】
前記透明板の前記主表面の法線方向を第１方向、前記バックライトの前記端面の法線方向および前記第１方向の両方向に対し垂直な方向を第２方向とすると、前記第２方向の寸法が前記第１方向の寸法よりも長い前記長穴を用いる、請求項４に記載の表示装置の製造方法。
【発明の詳細な説明】
【技術分野】
【０００１】
本発明は、表示装置および表示装置の製造方法に関する。
【背景技術】
【０００２】
近年、窓ガラス等の透明板と、透明板の主表面に貼り付けられる液晶パネルと、液晶パネルを透明板とは反対側から照明するバックライトとで構成される表示装置が提案されている（例えば特許文献１参照）。この表示装置は、例えば、広告などを表示するデジタルサイネージとして用いられる。
【先行技術文献】
【特許文献】
【０００３】
【特許文献１】国際公開第２０１５／０７２３８０号
【発明の概要】
【発明が解決しようとする課題】
【０００４】
図１５は、参考例による表示装置を示す断面図である。図１５において、二点鎖線は、透明板１２０の主表面１２１に貼り付けられた液晶パネル１３０とバックライト１４０との位置合わせを行うときの、バックライト１４０の位置を示す。
【０００５】
図１５に破線で示すように、先ず、透明板１２０の主表面１２１に液晶パネル１３０を液晶パネル用粘着層１３９で貼り付け、次いで透明板１２０の主表面１２１の面内方向における液晶パネル１３０とバックライト１４０との位置合わせを行う。位置合わせは、液晶パネル１３０をバックライト１４０で均一に照明するために行われる。
【０００６】
その後、図１５で矢印で示すように、バックライト１４０を透明板１２０の主表面１２１に接近させ、バックライト１４０にネジ止めされた固定治具１５０を透明板１２０の主表面１２１に固定治具用粘着層１５９で貼り付ける。これにより、透明板１２０の主表面１２１に、固定治具１５０を介してバックライト１４０が固定される。
【０００７】
しかしながら、バックライト１４０を透明板１２０に接近させる際に透明板１２０の主表面１２１の面内方向における液晶パネル１３０とバックライト１４０の位置がずれ、バックライト１４０が誤った位置に固定されてしまうことがあった。
【０００８】
本発明は、上記課題に鑑みてなされたものであって、透明板に貼り付けられた液晶パネルに対しバックライトを所定の位置に精度良く固定できる、表示装置の提供を主な目的とする。
【課題を解決するための手段】
【０００９】
上記課題を解決するため、本発明の一態様によれば、
透明板と、
前記透明板の主表面に貼り付けられる液晶パネルと、
前記液晶パネルを前記透明板とは反対側から照明するバックライトと、
前記透明板に対し前記バックライトを固定する固定治具とを備え、
前記固定治具は、前記透明板の前記主表面に対向する第１対向部、および前記バックライトの端面に対向する第２対向部を有し、
前記第１対向部が前記透明板の前記主表面に貼り付けられ、前記第２対向部の長穴を貫通する雄ネジおよび前記雄ネジに螺合する雌ネジによって前記第２対向部が前記バックライトの前記端面と締結される、表示装置が提供される。
【発明の効果】
【００１０】
本発明の一態様によれば、透明板に貼り付けられた液晶パネルに対しバックライトを所定の位置に精度良く固定できる、表示装置が提供される。
【図面の簡単な説明】
【００１１】
【図１】一実施形態による表示装置の背面図である。
【図２】図１の表示装置のII−II線に沿った断面図である。
【図３】図２の表示装置のIII−III線に沿った断面図である。
【図４】図２の表示装置をＺ方向から見た図である。
【図５】一実施形態によるスペーサの斜視図である。
【図６】一実施形態による表示装置の製造方法を示すフローチャートである。
【図７】一実施形態による液晶パネルとバックライトとの位置合わせを示す図である。
【図８】一実施形態によるバックライトに対する固定治具のスライドを示す図である。
【図９】第１変形例による表示装置の断面図である。
【図１０】第２変形例による表示装置の断面図である。
【図１１】第３変形例による表示装置をＺ方向から見た図である。
【図１２】第３変形例による表示装置の製造方法を示すフローチャートである。
【図１３】図４における長穴の変形例のＺ方向から見た図である。
【図１４】図１１における長穴の変形例のＺ方向から見た図である。
【図１５】従来例による表示装置の断面図である。
【発明を実施するための形態】
【００１２】
以下、本発明を実施するための形態について図面を参照して説明する。各図面において、同一の又は対応する構成には、同一の又は対応する符号を付して説明を省略する。以下の説明において、Ｘ方向、Ｙ方向およびＺ方向は互いに垂直な方向である。Ｘ方向はガラス板２０の主表面２１の法線方向であり、Ｙ方向はＸ方向視でバックライト４０の端面４１に平行な方向であり、Ｚ方向はバックライト４０の端面４１の法線方向であって雄ネジ６１の軸方向である。Ｘ方向が特許請求の範囲に記載の第１方向に対応し、Ｙ方向が特許請求の範囲に記載の第２方向に対応する。
【００１３】
＜表示装置＞
図１は、一実施形態による表示装置の背面図である。図２は、図１の表示装置のII−II線に沿った断面図である。図３は、図２の表示装置のIII−III線に沿った断面図である。図４は、図２の表示装置をＺ方向から見た図である。
【００１４】
図１〜図４に示すように、表示装置１０は、透明板２０と、透明板２０の主表面２１に貼り付けられる液晶パネル３０と、液晶パネル３０を透明板２０とは反対側から照明するバックライト４０と、バックライト４０を透明板２０に固定する固定治具５０とを備える。以下、表示装置１０の各構成について説明する。
【００１５】
＜透明板＞
透明板２０は、例えば窓ガラスである。透明板２０の液晶パネル３０が貼り付けられる主表面２１は、室内側の面であっても、室外側の面であってもよい。尚、透明板２０は、室内を区画するものであってもよい。
【００１６】
透明板２０としてのガラス板は、ソーダライムガラス等の一般的なガラスで形成される。液晶パネル３０で表示される画像の視認性を高めるため、鉄分が少なく、青みが少ない高透過ガラスが用いられてもよい。また、安全性を高めるため、強化ガラスや合わせガラスが用いられてもよい。
【００１７】
透明板２０としては、ガラス板の他に、樹脂板が使用可能である。樹脂板は、例えばポリカーボネート、ポリメチルメタクリレート等で形成される。透明板２０は、透明板２０を介して液晶パネル３０で表示される画像を視認できるものであればよい。
【００１８】
透明板２０の液晶パネル３０が貼り付けられる主表面２１は、液晶パネル３０よりも大きい面積を有する。透明板２０に貼り付けられた液晶パネル３０の周囲に、固定治具５０が配設されるためである。
【００１９】
透明板２０の液晶パネル３０が貼り付けられる主表面２１には、液晶パネル３０の外周に沿って遮光層２５が予め形成されてもよい。遮光層２５は、例えば、黒色顔料を含むセラミックス塗料を塗布して形成される。遮光層２５はその他にも有機系材料の印刷などにより形成することもできる。
【００２０】
遮光層２５は、Ｘ方向視で、透明板２０に貼り付けられた液晶パネル３０の外周部を隠すように形成される。これにより、固定治具５０を隠すことができる。透明板２０を通して液晶パネル３０を見るユーザから、液晶パネル３０に電気信号を供給する配線を隠すこともできる。
【００２１】
遮光層２５は、Ｘ方向視で、透明板２０に貼り付けられた液晶パネル３０の画像表示領域よりも外側の領域と重なるように枠状に形成されてよい。遮光層２５の開口領域は、Ｘ方向視で、透明板２０に貼り付けられた液晶パネル３０の画像表示領域と一致してよい。
【００２２】
＜液晶パネル＞
液晶パネル３０は、例えば、アレイ基板と、液晶層と、カラーフィルタ基板とをこの順で有する。アレイ基板は、液晶層側に、ＴＦＴなどのアクティブ素子と、透明な画素電極とを有する。カラーフィルタ基板は、液晶層側に、カラーフィルタと、透明な対向電極とを有する。
【００２３】
液晶パネル３０は、アレイ基板の液晶層とは反対側に設けられる第１偏光板と、カラーフィルタ基板の液晶層とは反対側に設けられる第２偏光板とを有する。第１偏光板の偏光軸と第２偏光板の偏光軸とは、例えば９０°で交差する。
【００２４】
液晶パネル３０の駆動方式は、特に限定されないが、例えば、インプレイン・スイッチング（In-Plane Switching）等の横電界方式が挙げられる。液晶パネル３０の駆動回路３１は、図１に示すように、例えばバックライト４０の液晶パネル３０とは反対側の面に取付けられる。
【００２５】
液晶パネル３０は、液晶パネル用粘着層３９によって透明板２０に貼り付けられる。液晶パネル用粘着層３９の材料としては、例えば光硬化性樹脂が挙げられる。光硬化性樹脂は、アクリル系、シリコーン系、エポキシ系等のいずれでもよい。
【００２６】
温度２５℃、振動数１Ｈｚにおける液晶パネル用粘着層３９の貯蔵せん断弾性率は、例えば１×１０２Ｐａ〜１×１０７Ｐａである。上記貯蔵せん断弾性率は、好ましくは１×１０３Ｐａ〜１×１０６Ｐａである。
【００２７】
液晶パネル用粘着層３９の厚さは、例えば０．１ｍｍ〜２．０ｍｍであり、好ましくは０．２ｍｍ〜０．８ｍｍである。
【００２８】
尚、透明板２０を基準として液晶パネル３０とは反対側には、タッチセンサが設けられてもよい。また、タッチセンサは透明板２０と液晶パネル３０の間に設けられてもよい。タッチセンサは、表示装置１０がタッチパネルである場合に、表示装置１０に組込まれる。タッチセンサは、表示装置１０の画面に対する指などの物体の接触または近接を検出する。タッチセンサの検出方式は、特に限定されないが、例えば静電容量方式であってよい。静電容量方式としては、表面型静電容量方式、投影型静電容量方式などがある。投影型静電容量方式としては、自己容量方式、相互容量方式等がある。相互容量方式を用いると、同時多点検出が可能となるため好ましい。
【００２９】
＜バックライト＞
バックライト４０は、液晶パネル３０用の一般的なものであってよく、エッジライト型のもの、直下型のものいずれでもよい。バックライト４０は、発光素子に加えて、各種の光学フィルムを有してもよい。光学フィルムは、光の強度を均一化したり、視野角を変更したり、光の利用効率を改善したりする。
【００３０】
バックライト４０と透明板２０との間隔は、スペーサ４５（図１、図５参照）によって保持される。スペーサ４５は、透明板２０とバックライト４０との間隔を保持することにより、バックライト４０と液晶パネル３０との間に隙間を形成してよい。
【００３１】
スペーサ４５は、例えばＸ方向視で遮光層２５と重なる位置に設けられる。透明板２０を通して液晶パネル３０を見るユーザから、スペーサ４５を隠すことができる。スペーサ４５は、例えば図１に示すようにバックライト４０の四隅に設けられる。
【００３２】
図５は、一実施形態によるスペーサの斜視図である。スペーサ４５は、例えば、バックライト４０が設置される設置面４６と、設置面４６から突出する突出部４７とを有する。突出部４７は、図１に示すようにバックライト４０の端面４１と対向して、後述の位置合わせ（図６の工程Ｓ１３）においてバックライト４０の移動範囲を制限する。
【００３３】
バックライト４０の端面４１には、固定治具５０がネジ止めされる。そのネジ止めには、雄ネジ６１と雌ネジ６５が用いられる。雄ネジ６１は、固定治具５０の長穴５３を貫通して、雌ネジ６５と螺合する。雌ネジ６５は、例えばバックライト４０の端面４１に設けられる。
【００３４】
＜固定治具＞
固定治具５０は、透明板２０の主表面２１に対向する第１対向部５１、およびバックライト４０の端面４１に対向する第２対向部５２を有する。第１対向部５１と第２対向部５２とは、Ｌ型アングルを構成する。尚、固定治具５０の断面形状は、本実施形態ではＬ字状であるが、例えば四角環状でもよく、特に限定されない。
【００３５】
第１対向部５１は、例えば板状に形成される。第１対向部５１の透明板２０と対向する面には、固定治具５０を透明板２０に固定する固定治具用粘着層５９が設けられる。固定治具用粘着層５９は、例えば、液晶パネル用粘着層３９と同様の材料で形成されてもよい。また固定治具用粘着層５９は公知の両面テープなどで形成されてもよい。
【００３６】
第２対向部５２は、例えば板状に形成される。第２対向部５２には、雄ネジ６１が貫通する長穴５３が形成される。長穴５３は、Ｘ方向寸法がＹ方向寸法よりも長い。長穴５３の長手方向はＸ方向であって、長穴５３の幅方向はＹ方向である。
【００３７】
雄ネジ６１は、雌ネジ６５と螺合される軸部６２と、軸部６２よりも大径の頭部６３とを有する。図３に示すように、軸部６２の直径は長穴５３の幅方向寸法よりも小さく、頭部６３の直径は長穴５３の幅方向寸法よりも大きい。但し、頭部６３と第２対向部５２との間にワッシャーが設けられる場合、頭部６３の直径は長穴５３の幅方向寸法よりも小さくてもよい。
【００３８】
雌ネジ６５は、例えばバックライト４０の端面４１に設けられる。雌ネジ６５は、バックライト４０の一部として設けられてもよいし、バックライト４０とは別に設けられバックライト４０に接着剤などで固定されてもよい。
【００３９】
第１対向部５１は、透明板２０の主表面２１に貼り付けられる。一方、第２対向部５２は、第２対向部５２の長穴５３を貫通する雄ネジ６１および雄ネジ６１に螺合する雌ネジ６５によって、バックライト４０の端面４１と締結される。第２対向部５２は、例えば雄ネジ６１の頭部６３とバックライト４０の端面４１とで挟んで締め付けられる。
【００４０】
尚、詳しくは後述するが、雄ネジ６１と雌ネジ６５の配置は逆でもよい。具体的には、雄ネジ６１はバックライト４０の端面４１に突設され、雄ネジ６１の先端に雌ネジ６５が螺合されてもよい。この場合、雌ネジ６５は第２対向部５２を基準としてバックライト４０とは反対側に配設され、第２対向部５２は雌ネジ６５とバックライト４０の端面４１とで挟んで締め付けられる。
【００４１】
＜表示装置の製造方法＞
図６は、一実施形態による表示装置の製造方法を示すフローチャートである。図７は、一実施形態による液晶パネルとバックライトとの位置合わせを示す図である。図８は、一実施形態によるバックライトに対する固定治具のスライドを示す図である。
【００４２】
図６の工程Ｓ１１では、透明板２０に対する液晶パネル３０の貼り付けを行う。液晶パネル３０は、液晶パネル用粘着層３９によって、透明板２０の主表面２１に貼り付けられる。透明板２０の主表面２１には予め遮光層２５が枠状に形成されており、遮光層２５の開口領域と液晶パネル３０の画像表示領域とがＸ方向視で一致するように、液晶パネル３０が透明板２０に貼り付けられる。
【００４３】
図６の工程Ｓ１２では、透明板２０に対するスペーサ４５の貼り付けを行う。スペーサ４５は、透明板２０の主表面２１に貼り付けられる。スペーサ４５は、Ｘ方向視で遮光層２５と重なるように貼り付けられてよい。スペーサ４５は、透明板２０とバックライト４０との間隔を保持するものである。スペーサ４５は、後述の位置合わせ（図６の工程Ｓ１３）においてバックライト４０の移動範囲を制限する役割も有する。
【００４４】
図６の工程Ｓ１３では、液晶パネル３０とバックライト４０との位置合わせを行う。具体的には、例えばスペーサ４５で透明板２０とバックライト４０との間隔を保持しながら、透明板２０の主表面２１の面内方向（Ｙ方向およびＺ方向）における液晶パネル３０とバックライト４０との位置合わせを行う。位置合わせは、液晶パネル３０をバックライト４０で均一に照明するために行われる。バックライト４０には、予め固定治具５０がネジ止めされてよい。
【００４５】
図６の工程Ｓ１４では、バックライト４０に対する固定治具５０のスライドを行う。上記スライドは、図８に示すように、雄ネジ６１を緩めることで可能になる。上記スライドは、固定治具５０のＹ方向やＺ方向の移動を規制するため、雄ネジ６１と雌ネジ６５とが螺合したままの状態で行われてよい。固定治具５０のＹ方向の移動は、雌ネジ６５に螺合された雄ネジ６１の軸部６２によって規制される。また、固定治具５０のＺ方向の移動は、雌ネジ６５に螺合された雄ネジ６１の頭部６３によって規制される。上記スライドは、バックライト４０の端面４１に固定治具５０の第２対向部５２を接触させながら行われる。
【００４６】
上記工程Ｓ１４では、例えば透明板２０とバックライト４０との間隔を保持しながら、バックライト４０に対し固定治具５０を長穴５３の長手方向（Ｘ方向）にスライドさせることにより固定治具５０の第１対向部５１を透明板２０の主表面２１に接近させる。これにより、第１対向部５１に設けられた固定治具用粘着層５９が、透明板２０の主表面２１に接近させられる。
【００４７】
図６の工程Ｓ１５では、透明板２０に対する固定治具５０の貼り付けを行う。具体的には、固定治具５０の第１対向部５１を透明板２０の主表面２１と対向させると共に固定治具５０の第２対向部５２をバックライト４０の端面４１に対向させて、第１対向部５１を透明板２０の主表面２１に貼り付ける。
【００４８】
図６の工程Ｓ１６では、固定治具５０とバックライト４０の締結を行う。具体的には、雄ネジ６１の頭部６３とバックライト４０の端面４１とで、固定治具５０の第２対向部５２を締め付ける方向に雄ネジ６１を回転させる。
【００４９】
＜まとめ＞
以上説明したように、本実施形態によれば、雄ネジ６１が固定治具５０の第２対向部５２の長穴５３を貫通して雌ネジ６５と螺合されることで、バックライト４０と固定治具５０とが締結される。そのため、例えば、透明板２０とバックライト４０との間隔を保持しながら、バックライト４０に対し固定治具５０を長穴５３の長手方向（Ｘ方向）にスライドさせることにより固定治具５０の第１対向部５１を透明板２０の主表面２１に接近させることが可能である。
【００５０】
よって、図７、図８に示すように、透明板２０に貼り付けられた液晶パネル３０とバックライト４０との位置合わせ後に、透明板２０に対するバックライト４０の位置を固定したままで、固定治具５０を透明板２０に貼り付けることができる。その後、固定治具５０とバックライト４０の締結が行われる。バックライト４０は、固定治具５０を介して透明板２０に対し固定される。
【００５１】
従って、本実施形態によれば、透明板２０に貼り付けられた液晶パネル３０とバックライト４０の位置合わせから、固定治具５０による透明板２０に対するバックライト４０の固定までの間に、バックライト４０の位置が変わらない。その結果、透明板２０に貼り付けられた液晶パネル３０に対しバックライト４０を所定の位置に精度良く固定できる。
【００５２】
尚、本実施形態では、バックライト４０に対する固定治具５０のＸ方向のスライドは、固定治具５０のＹ方向やＺ方向の移動を規制するため、雄ネジ６１と雌ネジ６５とが螺合したままの状態で行われるが、雄ネジ６１と雌ネジ６５の螺合が解除された状態で行われてもよい。
【００５３】
また、本実施形態では、透明板２０に貼り付けられた液晶パネル３０とバックライト４０の位置合わせ（工程Ｓ１３）の際に、バックライト４０に固定治具５０がネジ止めされているが、ネジ止めされていなくてもよい。
【００５４】
＜第１変形例による表示装置＞
図９は、第１変形例による表示装置の断面図である。本変形例の表示装置１０Ａは、バックライト４０Ａがバックライト本体４２Ａとネジ取付具４３Ａとで構成される点で、上記実施形態の表示装置１０とは相違する。以下、相違点について主に説明する。
【００５５】
バックライト本体４２Ａは、上記実施形態のバックライト４０と同様に構成される。一方、ネジ取付具４３Ａは、バックライト本体４２Ａに固定される。ネジ取付具４３Ａの端面４１Ａには、例えば雌ネジ６５が設けられる。
【００５６】
固定治具５０は、透明板２０の主表面２１に対向する第１対向部５１、およびバックライト４０Ａの端面４１Ａに対向する第２対向部５２を有する。第１対向部５１と第２対向部５２とは、Ｌ型アングルを構成する。尚、固定治具５０の断面形状は、本変形例ではＬ字状であるが、例えば四角環状でもよく、特に限定されない。
【００５７】
雄ネジ６１は、雌ネジ６５と螺合される軸部６２と、軸部６２よりも大径の頭部６３とを有する。軸部６２の直径は第２対向部５２の長穴５３の幅方向寸法（例えばＹ方向寸法）よりも小さく、頭部６３の直径は長穴５３の幅方向寸法よりも大きい。但し、頭部６３と第２対向部５２との間にワッシャーが設けられる場合、頭部６３の直径は長穴５３の幅方向寸法よりも小さくてもよい。
【００５８】
雌ネジ６５は、例えばバックライト４０Ａ（より詳細にはネジ取付具４３Ａ）の端面４１Ａに設けられる。雌ネジ６５は、ネジ取付具４３Ａの一部として設けられてもよいし、ネジ取付具４３Ａとは別に設けられネジ取付具４３Ａに接着剤などで固定されてもよい。
【００５９】
第１対向部５１は、透明板２０の主表面２１に貼り付けられる。一方、第２対向部５２は、第２対向部５２の長穴５３を貫通する雄ネジ６１および雄ネジ６１に螺合する雌ネジ６５によって、バックライト４０Ａの端面４１Ａと締結される。第２対向部５２は、例えば雄ネジ６１の頭部６３とバックライト４０Ａの端面４１Ａとで挟んで締め付けられる。
【００６０】
尚、詳しくは後述するが、雄ネジ６１と雌ネジ６５の配置は逆でもよい。具体的には、雄ネジ６１はバックライト４０Ａの端面４１Ａに突設され、雄ネジ６１の先端に雌ネジ６５が螺合されてもよい。この場合、雌ネジ６５は、第２対向部５２を基準としてバックライト４０Ａとは反対側に設けられ、第２対向部５２は雌ネジ６５とバックライト４０Ａの端面４１Ａとで挟んで締め付けられる。
【００６１】
本変形例によれば、上記実施形態と同様に、雄ネジ６１が固定治具５０の第２対向部５２の長穴５３を貫通して雌ネジ６５と螺合されることで、バックライト４０Ａと固定治具５０とが締結される。そのため、例えば、透明板２０とバックライト４０Ａとの間隔を保持しながら、バックライト４０Ａに対し固定治具５０を長穴５３の長手方向（Ｘ方向）にスライドさせることにより固定治具５０の第１対向部５１を透明板２０の主表面２１に接近させることが可能である。よって、上記実施形態と同様の効果が得られる。
【００６２】
＜第２変形例による表示装置＞
図１０は、第２変形例による表示装置の断面図である。本変形例の表示装置１０Ｂは、雄ネジ６１Ｂがバックライト４０の端面４１に設けられ、雄ネジ６１Ｂの先端に雌ネジ６５Ｂが螺合される点で、上記実施形態の表示装置１０とは相違する。以下、相違点について主に説明する。
【００６３】
雄ネジ６１Ｂは、雌ネジ６５Ｂと螺合される軸部６２Ｂを有する。軸部６２Ｂは、バックライト４０の端面４１に突設され、固定治具５０の第２対向部５２の長穴５３を貫通する。雄ネジ６１Ｂは、バックライト４０の一部として設けられてもよいし、バックライト４０とは別に設けられバックライト４０に接着剤などで固定されてもよい。
【００６４】
雌ネジ６５Ｂは、固定治具５０の第２対向部５２を基準として、バックライト４０とは反対側に配設される。雌ネジ６５Ｂの直径は、第２対向部５２の長穴５３の幅方向寸法（例えばＹ方向寸法）よりも大きい。但し、雌ネジ６５Ｂと第２対向部５２との間にワッシャーが設けられる場合、雌ネジ６５Ｂの直径は長穴５３の幅方向寸法よりも小さくてもよい。
【００６５】
固定治具５０は、第１対向部５１と第２対向部５２とを有する。第１対向部５１は、透明板２０の主表面２１に貼り付けられる。一方、第２対向部５２は、第２対向部５２の長穴５３を貫通する雄ネジ６１Ｂおよび雄ネジ６１Ｂに螺合する雌ネジ６５Ｂによって、バックライト４０の端面４１と締結される。第２対向部５２は、雌ネジ６５Ｂとバックライト４０の端面４１とで挟んで締め付けられる。
【００６６】
バックライト４０に対する固定治具５０のスライドは、雌ネジ６５Ｂを緩めることで可能になる。上記スライドは、固定治具５０のＹ方向やＺ方向の移動を規制するため、雄ネジ６１Ｂと雌ネジ６５Ｂとが螺合したままの状態で行われてよい。固定治具５０のＹ方向の移動は、雄ネジ６１Ｂの軸部６２Ｂによって規制される。また、固定治具５０のＺ方向の移動は、雄ネジ６１Ｂに螺合された雌ネジ６５Ｂによって規制される。上記スライドは、バックライト４０の端面４１に固定治具５０の第２対向部５２を接触させながら行われる。
【００６７】
本変形例によれば、上記実施形態と同様に、雄ネジ６１Ｂが固定治具５０の第２対向部５２の長穴５３を貫通して雌ネジ６５Ｂと螺合されることで、バックライト４０と固定治具５０とが締結される。そのため、例えば、透明板２０とバックライト４０との間隔を保持しながら、バックライト４０に対し固定治具５０を長穴５３の長手方向（Ｘ方向）にスライドさせることにより固定治具５０の第１対向部５１を透明板２０の主表面２１に接近させることが可能である。よって、上記実施形態と同様の効果が得られる。
【００６８】
＜第３変形例による表示装置＞
図１１は、第３変形例による表示装置をＺ方向から見た図である。本変形例の表示装置１０Ｃは、長穴５３ＣのＹ方向寸法が長穴５３ＣのＸ方向寸法よりも長い点で、上記実施形態の表示装置１０とは相違する。以下、相違点について主に説明する。
【００６９】
固定治具５０Ｃは、透明板２０の主表面２１に対向する第１対向部５１Ｃ、およびバックライト４０の端面４１に対向する第２対向部５２Ｃを有する。第１対向部５１Ｃと第２対向部５２Ｃとは、Ｌ型アングルを構成する。尚、固定治具５０Ｃの断面形状は、本変形例ではＬ字状であるが、例えば四角環状でもよく、特に限定されない。
【００７０】
第１対向部５１Ｃは、例えば板状に形成される。第１対向部５１Ｃの透明板２０と対向する面には、固定治具５０を透明板２０に固定する固定治具用粘着層５９Ｃが設けられる。固定治具用粘着層５９Ｃは、例えば、液晶パネル用粘着層３９と同様の材料で形成されてよい。また、固定治具用粘着層５９Ｃは公知の両面テープなどで形成されてもよい。
【００７１】
第２対向部５２Ｃは、例えば板状に形成される。第２対向部５２Ｃには、雄ネジ６１が貫通する長穴５３Ｃが形成される。長穴５３Ｃは、Ｙ方向寸法がＸ方向寸法よりも長い。長穴５３Ｃの長手方向はＹ方向であって、長穴５３Ｃの幅方向はＸ方向である。
【００７２】
雄ネジ６１は、雌ネジ６５と螺合される軸部６２と、軸部６２よりも大径の頭部６３とを有する。図４に示すように、軸部６２の直径は長穴５３Ｃの幅方向寸法よりも小さく、頭部６３の直径は長穴５３Ｃの幅方向寸法よりも大きい。但し、頭部６３と第２対向部５２Ｃとの間にワッシャーが設けられる場合、頭部６３の直径は長穴５３Ｃの幅方向寸法よりも小さくてもよい。
【００７３】
雌ネジ６５は、例えばバックライト４０の端面４１に設けられる。雌ネジ６５は、バックライト４０の一部として設けられてもよいし、バックライト４０とは別に設けられバックライト４０に接着剤などで固定されてもよい。尚、バックライト４０は、上記第１変形例のバックライト４０Ａと同様に構成されてもよい。
【００７４】
第１対向部５１Ｃは、透明板２０の主表面２１に貼り付けられる。一方、第２対向部５２Ｃは、第２対向部５２Ｃの長穴５３Ｃを貫通する雄ネジ６１および雄ネジ６１に螺合する雌ネジ６５によって、バックライト４０の端面４１と締結される。第２対向部５２Ｃは、例えば雄ネジ６１の頭部６３とバックライト４０の端面４１とで挟んで締め付けられる。
【００７５】
尚、雄ネジ６１と雌ネジ６５の配置は逆でもよい。具体的には、雄ネジ６１はバックライト４０の端面４１に突設され、雄ネジ６１の先端に雌ネジ６５が螺合されてもよい。この場合、雌ネジ６５は第２対向部５２Ｃを基準としてバックライト４０とは反対側に配設され、第２対向部５２Ｃは雌ネジ６５とバックライト４０の端面４１とで挟んで締め付けられる。
【００７６】
＜第３変形例による表示装置の製造方法＞
図１２は、第３変形例による表示装置の製造方法を示すフローチャートである。尚、図１２の工程Ｓ１１〜１３は、図６の工程Ｓ１１〜１３と同様であるので、説明を省略する。
【００７７】
図１２の工程Ｓ２１では、透明板２０に対する固定治具５０Ｃの貼り付けを行う。具体的には、固定治具５０Ｃの第１対向部５１Ｃを透明板２０の主表面２１と対向させると共に固定治具５０Ｃの第２対向部５２をバックライト４０の端面４１に対向させて、第１対向部５１Ｃを透明板２０の主表面２１に貼り付ける。より詳細には、第２対向部５２Ｃの長穴５３Ｃとバックライト４０の雌ネジ６５のネジ穴とがＺ方向視で重なる位置で、第１対向部５１Ｃを透明板２０の主表面２１に貼り付ける。
【００７８】
図１２の工程Ｓ２２では、固定治具５０Ｃとバックライト４０の締結を行う。具体的には、雄ネジ６１の頭部６３とバックライト４０の端面４１とで、固定治具５０Ｃの第２対向部５２Ｃを締め付ける方向に雄ネジ６１を回転させる。
【００７９】
以上説明したように、本変形例によれば、雄ネジ６１が固定治具５０Ｃの第２対向部５２Ｃの長穴５３Ｃを貫通して雌ネジ６５と螺合されることで、バックライト４０と固定治具５０とが締結される。長穴５３ＣはＹ方向に長いため、透明板２０に対する固定治具５０ＣのＹ方向における貼り付け位置の精度を緩和できる。つまり、透明板２０に対する固定治具５０ＣのＹ方向における貼り付け位置が多少ずれても、固定治具５０Ｃの長穴５３Ｃと雌ネジ６５のネジ穴とをＺ方向視で重ねることができる。そのため、透明板２０に貼り付けられた液晶パネル３０とバックライト４０との位置合わせ後に、透明板２０に対するバックライト４０の位置を固定したままで、固定治具５０Ｃとバックライト４０の締結を行うことができる。バックライト４０は、固定治具５０Ｃを介して透明板２０に対し固定される。従って、本変形例によれば、透明板２０に貼り付けられた液晶パネル３０とバックライト４０の位置合わせから、固定治具５０Ｃによる透明板２０に対するバックライト４０の固定までの間に、バックライト４０の位置が変わらない。その結果、透明板２０に貼り付けられた液晶パネル３０に対しバックライト４０を所定の位置に精度良く固定できる。
【００８０】
尚、本変形例ではバックライト４０に雌ネジ６５が設けられるが、バックライト４０に雄ネジ６１が設けられてもよい。この場合、バックライト４０の端面４１の法線方向視（Ｚ方向視）で雄ネジ６１の軸部６２と第２対向部５２Ｃの長穴５３Ｃとが重なる位置で、第１対向部５１Ｃを透明板２０の主表面２１に貼り付けられる。長穴５３ＣはＹ方向に長いため、透明板２０に対する固定治具５０ＣのＹ方向における貼り付け位置の精度を緩和できる。つまり、透明板２０に対する固定治具５０ＣのＹ方向における貼り付け位置が多少ずれても、固定治具５０Ｃの長穴５３Ｃと雄ネジ６１の軸部６２とをＺ方向視で重ねることができる。そのため、透明板２０に貼り付けられた液晶パネル３０とバックライト４０との位置合わせ後に、透明板２０に対するバックライト４０の位置を固定したままで、固定治具５０Ｃとバックライト４０の締結を行うことができる。バックライト４０は、固定治具５０Ｃを介して透明板２０に対し固定される。従って、この場合も、透明板２０に貼り付けられた液晶パネル３０とバックライト４０の位置合わせから、固定治具５０Ｃによる透明板２０に対するバックライト４０の固定までの間に、バックライト４０の位置が変わらない。その結果、透明板２０に貼り付けられた液晶パネル３０に対しバックライト４０を所定の位置に精度良く固定できる。
【００８１】
尚、上記工程Ｓ２１と上記工程Ｓ２２との間に、液晶パネル３０とバックライト４０の位置合わせを再度行うべく、固定治具５０Ｃに対しバックライト４０を長穴５３Ｃの長手方向にスライドさせることも可能である。上記スライドは、固定治具５０ＣのＸ方向やＺ方向の移動を規制するため、雄ネジ６１と雌ネジ６５とが螺合したままの状態で行われてよい。固定治具５０ＣのＸ方向の移動は、雌ネジ６５に螺合された雄ネジ６１の軸部６２によって規制される。また、固定治具５０ＣのＺ方向の移動は、雌ネジ６５に螺合された雄ネジ６１の頭部６３によって規制される。上記スライドは、バックライト４０の端面４１に固定治具５０Ｃの第２対向部５２Ｃを接触させながら行われる。
【００８２】
＜変形、改良＞
以上、表示装置および表示装置の製造方法の実施形態などについて説明したが、本発明は上記実施形態などに限定されず、特許請求の範囲に記載された本発明の要旨の範囲内において、種々の変形、改良が可能である。
【００８３】
例えば図４に示す長穴５３の代わりに、図１３（ａ）〜図１３（ｉ）に示す長穴５３が用いられてもよい。固定治具５０がＬ型アングルである場合、第１対向部５１と第２対向部５２とは平板からＬ字板に曲げ加工される。曲げ加工のための応力は、第１対向部５１と第２対向部５２との境界および境界付近に集中する。ところで、第２対向部５２には、曲げ加工前に、長穴５３が形成される。長穴５３のＸ方向正方向側（つまり上記境界に近い側）の端部には、長穴５３のＸ方向負方向側の端部に比べて、曲げ加工時に、大きな応力が作用する。そこで、長穴５３のＸ方向正方向側の端部の形状は、曲げ加工による変形（例えば半円から半楕円への変形）を抑制すべく、好ましくは半円よりも矩形に近い形状（「矩形状」を含む。）とされ、より好ましくは矩形状とされる。具体的には、図１３（ｄ）に示す長穴５３の方が図１３（ｇ）に示す長穴５３よりも上述した曲げ加工による長穴５３の変形を抑制する点で好ましい。同様に、図１３（ｅ）に示す長穴５３の方が図１３（ｈ）に示す長穴５３よりも上述した曲げ加工による長穴５３の変形を抑制する点で好ましい。さらに、図１３（ｆ）に示す長穴５３の方が図１３（ｉ）に示す長穴５３よりも上述した曲げ加工による長穴５３の変形を抑制する点で好ましい。また、図１３（ｈ）に示す長穴５３の方が図１３（ｉ）に示す長穴５３よりも上述した曲げ加工による長穴５３の変形を抑制する点で好ましい。
【００８４】
また図１１に示す長穴５３Ｃの代わりに、図１４（ａ）〜図１４（ｉ）に示す長穴５３が用いられてもよい。
【００８５】
なお、上記で説明した締結構造を長期にわたって使用する場合、振動等の影響で雄ネジ６１と雌ネジ６５の螺合が緩んだり、解除される可能性が考えられる。これを防止するため、例えば液状の接着剤を上記締結構造を覆うように塗布するか、あるいは、長穴５３と頭部６３との空隙部に塗布し、乾燥させて、被膜を形成してもよい。上記接着剤としては、公知の液状接着剤を適用できる。前記液状接着剤としては、例えば嫌気性、すなわち空気を遮断することで硬化が始まる性質を有する接着剤が好ましい。嫌気性接着剤としては、例えば（メタ）アクリル基を有する嫌気重合性モノマーとラジカル重合開始剤とを主成分とする室温硬化型接着剤が挙げられる。
【符号の説明】
【００８６】
１０  表示装置
２０  透明板
２１  主表面
３０  液晶パネル
４０  バックライト
４１  端面
５０  固定治具
５１  第１対向部
５２  第２対向部
５３  長穴
６１  雄ネジ
６５  雌ネジ
【図１】
2019020710.tif 000003
【図２】
2019020710.tif 000004
【図３】
2019020710.tif 000005
【図４】
2019020710.tif 000006
【図５】
2019020710.tif 000007
【図６】
2019020710.tif 000008
【図７】
2019020710.tif 000009
【図８】
2019020710.tif 000010
【図９】
2019020710.tif 000011
【図１０】
2019020710.tif 000012
【図１１】
2019020710.tif 000013
【図１２】
2019020710.tif 000014
【図１３】
2019020710.tif 000015
【図１４】
2019020710.tif 000016
【図１５】
2019020710.tif 000017